(57)【要約】【課題】  メンテナンスコスト、ランニングコスト等の低減が図られると共に、効率的且つ確実に気泡を消泡する消泡装置、消泡剤容器、消泡方法及び消泡剤ペットボトルを提供すること。【解決手段】  消泡剤容器６の開口部７が下向きにされて、消泡剤Ａが消泡剤容器６内に残るように流出するため、受け皿１０内は高濃度の消泡剤Ａで満たされる。また、受け皿１０内の消泡剤Ａの濃度が例えば消泡により一時低下しても、消泡剤容器６内の高濃度の消泡剤Ａと置換され、受け皿６内の消泡剤Ａは、高濃度に保たれる。また、消泡剤Ａの添加のための動力が不要とされる。【選択図】  図２
2005305308.tif 000002
【特許請求の範囲】
【請求項１】
被処理水の液面上の気泡と当該気泡を消泡する消泡剤とを接触させる消泡装置であって、
前記消泡剤を収容する消泡剤容器から流出した消泡剤を貯留する受け皿を具備し、
当該受け皿は、前記被処理水の液面近傍に設置されて前記気泡が流入可能とされ、
前記消泡剤容器に設けられ前記消泡剤が流通する開口部を、下向きにして前記受け皿内の液面に浸漬させた場合に、
前記消泡剤容器内に消泡剤が残るように前記消泡剤容器を支持するための支持部材を備えることを特徴とする消泡装置。
【請求項２】
前記受け皿は、前記消泡剤容器を下向きにして、前記開口部を封止する封止部を開封させる突起部を備えていることを特徴とする請求項１記載の消泡装置。
【請求項３】
前記支持部材は、前記消泡剤容器を立設して着脱可能に装着するものであることを特徴とする請求項１又は２記載の消泡装置。
【請求項４】
前記受け皿を、被処理水の液面の変動に追従して懸吊する懸吊手段を備えていることを特徴とする請求項１〜３の何れか１項に記載の消泡装置。
【請求項５】
前記受け皿内への雨水浸入を防止する雨水浸入防止手段を備えていることを特徴とする請求項１〜４の何れか１項に記載の消泡装置。
【請求項６】
前記受け皿は、前記消泡剤容器の前記開口部を有する凸部を装着可能な第１の装着部を備えていることを特徴とする請求項１〜５の何れか１項に記載の消泡装置。
【請求項７】
気泡を消泡する消泡剤を収容可能とし、
前記消泡剤が流通する開口部と、
この開口部を有する凸部と、を具備し、
当該凸部は、請求項６記載の第１の装着部に装着可能な第２の装着部を備えていることを特徴とする消泡容器。
【請求項８】
被処理水の液面上の気泡と当該気泡を消泡する消泡剤とを接触させる消泡方法であって、
受け皿を前記被処理水の液面近傍に設置すると共に、消泡剤容器から流出した消泡剤を前記受け皿内に貯留し、
前記消泡剤容器に設けられ前記消泡剤が流通する開口部を、下向きにして前記受け皿内の液面に浸漬させて、前記消泡剤容器内に消泡剤が残るように前記消泡剤容器を支持し、前記受け皿内に流入する前記気泡を前記受け皿内の消泡剤と接触させることを特徴とする消泡方法。
【請求項９】
内部に、気泡を消泡する消泡剤を収容し、
前記消泡剤が流通する開口部及び蓋を備え、
前記開口部を下向きにして、支持体に装着されて使用に供されることを特徴とする消泡剤ペットボトル。
【請求項１０】
開封可能な封止部により前記開口部が封止され、
前記封止部を開封させる突起部を備えた装置に下向きに装着されると、前記封止部が開封され前記消泡剤が流出することを特徴とする請求項９記載の消泡剤ペットボトル。
【請求項１１】
内部に、気泡を消泡する消泡剤を収容し、
前記消泡剤が流通する開口部及び蓋を備え、
前記開口部を下向きにして、請求項１記載の支持部材に装着されて使用に供されることを特徴とする消泡剤ペットボトル。
【発明の詳細な説明】
【技術分野】
【０００１】
本発明は、消泡装置、消泡剤容器、消泡方法及び消泡剤ペットボトルに関する。
【背景技術】
【０００２】
例えば、有機性廃水（被処理水）を処理する曝気槽等では、液面上に気泡が発生することがあり、この気泡を消滅させるために、原液又は水で希釈された消泡剤が、被処理水に添加されている。
【０００３】
この消泡剤を添加する消泡装置としては、気泡の発生を検知した際に、ポンプを用い消泡剤を添加するもの（例えば、特許文献１参照）や、被処理水の液面上に設けられた消泡剤容器を気泡の浮力により傾斜させ、その消泡剤容器内の消泡剤を添加するもの（例えば、特許文献２参照）が知られている。
【特許文献１】特開平１−２３１９０９号公報
【特許文献２】特開平１１−２６２７９１号公報
【発明の開示】
【発明が解決しようとする課題】
【０００４】
しかしながら、上記特許文献１記載の消泡装置にあっては、ポンプ停止時に消泡剤が水と分離し、分離した原液がポンプを閉塞させ、適切に消泡剤を添加できないといった問題がある。さらに、ポンプの定期点検が必要となり、メンテナンスコストが増加するといった問題や、ポンプのランニングコストが掛かるといった問題がある。
【０００５】
また、上記特許文献２記載の消泡装置にあっては、消泡剤を貯留した消泡剤容器が気泡の浮力で傾斜することは無く、適切に消泡剤を添加することができないといった問題がある。仮に、気泡で消泡剤容器が傾斜したとしても、消泡剤容器の下部に原液が沈んでいるため、消泡剤容器の上部に浮遊する低濃度の消泡剤から添加されて、効果的に消泡できないといった問題がある。
【０００６】
本発明はこのような課題を解決するために成されたものであり、メンテナンスコスト、ランニングコスト等の低減が図られると共に、効率的且つ確実に気泡を消泡する消泡装置、消泡剤容器、消泡方法及び消泡剤ペットボトルを提供することを目的とする。
【課題を解決するための手段】
【０００７】
本発明による消泡装置は、被処理水の液面上の気泡と当該気泡を消泡する消泡剤とを接触させる消泡装置であって、消泡剤を収容する消泡剤容器から流出した消泡剤を貯留する受け皿を具備し、当該受け皿は、被処理水の液面近傍に設置されて気泡が流入可能とされ、消泡剤容器に設けられ消泡剤が流通する開口部を、下向きにして受け皿内の液面に浸漬させた場合に、消泡剤容器内に消泡剤が残るように消泡剤容器を支持するための支持部材を備えることを特徴としている。
【０００８】
また、本発明による消泡方法は、被処理水の液面上の気泡と当該気泡を消泡する消泡剤とを接触させる消泡方法であって、受け皿を被処理水の液面近傍に設置すると共に、消泡剤容器から流出した消泡剤を受け皿内に貯留し、消泡剤容器に設けられ消泡剤が流通する開口部を、下向きにして受け皿内の液面に浸漬させて、消泡剤容器内に消泡剤が残るように消泡剤容器を支持し、受け皿内に流入する気泡を受け皿内の消泡剤と接触させることを特徴としている。
【０００９】
このような消泡装置及び消泡方法によれば、消泡剤容器の開口部が下向きにされて、消泡剤が消泡剤容器内に残るように流出するため、受け皿内は高濃度の消泡剤で満たされる。また、受け皿内の消泡剤の濃度が例えば消泡により一時低下しても、消泡剤容器内の高濃度の消泡剤と置換され、受け皿内の消泡剤は、高濃度に保たれる。また、消泡剤の添加のための動力が不要とされる。
【００１０】
ここで、受け皿は、消泡剤容器を下向きにして、開口部を封止する封止部を開封させる突起部を備えている構成であると、封止部材が容易に開封される。
【００１１】
また、支持部材は、消泡剤容器を立設して着脱可能に装着するものであると、上記作用が効果的に奏されると共に、消泡剤容器を容易に交換可能とされる。
【００１２】
また、受け皿を、被処理水の液面の変動に追従して懸吊する懸吊手段を備えていると、気泡の受け皿内への流入が容易とされる。
【００１３】
また、受け皿内への雨水浸入を防止する雨水浸入防止手段を備えていると、雨水浸入による消泡剤の低濃度化が防止される。
【００１４】
また、受け皿は、消泡剤容器の前記開口部を有する凸部を装着可能な第１の装着部を備える構成であると、消泡剤容器が容易に位置決めされると共に装着される。
【００１５】
また、本発明による消泡剤容器は、気泡を消泡する消泡剤を収容可能とし、消泡剤が流通する開口部と、この開口部を有する凸部と、を具備し、当該凸部は、上記第１の装着部に装着可能な第２の装着部を備えていることを特徴としている。これにより、受け皿への装着が正確に行われる。
【００１６】
また、本発明による消泡剤ペットボトルは、内部に、気泡を消泡する消泡剤を収容し、消泡剤が流通する開口部及び蓋を備え、開口部を下向きにして、支持体に装着されて使用に供されることを特徴としている。これにより、高濃度の消泡剤が開口部から適切に流出される。
【００１７】
ここで、上記作用を効果的に奏する構成としては、具体的には、開封可能な封止部により開口部が封止され、封止部を開封させる突起部を備えた装置に下向きに装着されると、封止部が開封され消泡剤が流出する構成が挙げられる。
【００１８】
また、本発明による消泡剤ペットボトルは、内部に、気泡を消泡する消泡剤を収容し、消泡剤が流通する開口部及び蓋を備え、この開口部を下向きにして、上記支持部材に装着されて使用に供されることを特徴としている。
【発明の効果】
【００１９】
このように本発明による消泡装置、消泡剤容器、消泡方法及び消泡剤ペットボトルによれば、消泡剤添加のための動力が不要とされメンテナンスコスト、ランニングコスト等の低減が図られると共に、受け皿内は高濃度の消泡剤で満たされ、効率的且つ確実に気泡を消泡する消泡装置、消泡剤容器、消泡方法及び消泡剤ペットボトルを提供することができる。
【発明を実施するための最良の形態】
【００２０】
以下、本発明による消泡装置の好適な実施形態について図面を参照しながら説明する。なお、図面の説明において、同一または相当要素には同一の符号を付し、重複する説明は省略する。図１は、本発明の第１実施形態に係る消泡装置を備えた曝気槽の概略構成図、図２は、図１中の消泡装置の概略構成図である。
【００２１】
図１に示すように、第１実施形態の消泡装置１は、例えば、し尿処理場や下水処理場等の有機性廃水（被処理水）Ｗを生物処理する曝気槽２に設置され、この有機性廃水Ｗの液面Ｗ１上に浮遊する気泡Ｂを消泡するものである。このような曝気槽２では、空気により発泡することが多く、特に有機性成分の濃度が高い時、洗濯廃水量が多い時に、激しく発泡する。
【００２２】
曝気槽２は、通常深層式であり、略中央に隔壁３を備え、この隔壁３と曝気槽２の側壁面との間に、曝気手段として、送風機４に接続された散気装置５を具備し、この散気装置５の曝気による上昇水流が発生し、隔壁３の周囲を循環する循環水流Ｗ２を形成する。
【００２３】
以下、消泡装置１について詳説する。この消泡装置１は、図２に示すように、気泡Ｂを消泡する消泡剤Ａを収容する消泡剤ペットボトル（消泡剤容器）６と、この消泡剤ペットボトル６が下向きに配設されて内部から流出した消泡剤Ａを貯留する受け皿１０と、この受け皿１０を有機性廃水の液面Ｗ１近傍に配置すべく上方から懸吊する懸吊手段１３と、を具備し、散気装置５の上方に設置されている。ここで用いられる消泡剤Ａは、例えばシリコン、エステル、アルコール等から構成され、気泡Ｂと接触することでその気泡Ｂを消泡する能力を有し、原液又は原液を水で希釈したものである。
【００２４】
消泡剤ペットボトル６は、先端部が細径の凸部８を有する構成とされ、この凸部８の先端に消泡剤Ａが流通する開口部７を具備し、この開口部７は、開封可能な密封シート（封止部）により封止されている。なお、図示の使用状態では密封シートは開封されている。
【００２５】
受け皿１０は桶状に構成され、内部に所定の消泡剤貯留領域を備え、底部１０ａには、四角錐状の突起部１１が設けられている。この突起部１１は、その頂点が開口部７の密封シートを開封すると共に開口部７内に挿入されて、消泡剤ペットボトル６を下側から支える形状に構成され、この突起部１１により、消泡剤ペットボトル６を上方から押し当てるだけで容易に密封シートが開封される。
【００２６】
受け皿１０の上方には、突起部１１と同軸に円筒状の支持胴１４が設置され、その内側に消泡剤ペットボトル６を保持可能としている。支持胴１４の上端には、消泡剤ペットボトル６の底部６ａにならう形状とされ開閉可能な蓋１７が設けられている。また、支持胴１４の上端、下端には、水平方向に張り出す環状の第１鍔部１５、第２鍔部１６を各々有し、その外径は受け皿１０と略同じとされている。
【００２７】
第１鍔部１５には、その外周から斜め下方に張り出す防水傘１９が連結されている。そして、上記蓋１７、第１鍔部１５、第２鍔部１６、防水傘１９により、受け皿１０内への雨水浸入を防止する雨水浸入防止手段が構成されている。この雨水浸入防止手段は、受け皿１０内の消泡剤Ａの低濃度化を防止する。
【００２８】
懸吊手段１３は、吊ワイヤー２０ａ、２０ｂ及び吊フック２１を備え、吊ワイヤー２０ａは、受け皿１０と第１鍔部１５とを連結し、吊ワイヤー２０ｂは、第１鍔部１５と吊フック２１とを連結し、この吊フック２１は、所定の位置に懸けられている。すなわち、懸吊手段１３により、受け皿１０は有機性廃水の液面Ｗ１の変動に追従し、受け皿１０内に気泡が容易に流入する構成とされている。
【００２９】
また、上記突起部１１、支持胴１４、蓋１７により、消泡剤ペットボトル６を立設して着脱可能に装着する支持部材が構成されている。この支持部材により、消泡剤ペットボトル６の交換が容易とされている。
【００３０】
次に、このように構成された消泡装置１を用いての消泡方法について説明する。先ず、消泡剤ペットボトル６を支持部材に装着する。具体的には、消泡剤ペットボトル６の開口部７を、下向きにして支持胴１４内に上方から挿入し、受け皿１０の突起部１１に突き当て、蓋１７を閉じる。この装着の際に、開口部７の密封シートは、突起部１１により開封され、消泡剤ペットボトル６内の消泡剤Ａが、開口部７と突起部１１との間の隙間を通り受け皿１０内に流出し、空気が、消泡剤ペットボトル６内に流入する。この消泡剤Ａの流出により、受け皿１０内に消泡剤Ａが満たされていき、開口部７が消泡剤の液面Ａ１に浸漬し、消泡剤ペットボトル６内外の圧力が釣り合った状態で、消泡剤Ａの消泡剤ペットボトル６内からの流出が止まる。すなわち、この釣り合い状態では、消泡剤ペットボトル６内に消泡剤Ａが残存し、消泡剤ペットボトル６内の空気の圧力及び消泡剤Ａの圧力の合計と、大気圧とが釣り合って、受け皿１０内の液面Ａ１を形成する。
【００３１】
ここで、気泡Ｂが発生して受け皿１０内に流入すると、その気泡Ｂは消泡剤の液面Ａ１に接触して瞬時に消泡される。また、この消泡の際に、消泡剤Ａが受け皿１０外に飛散し、受け皿１０外の気泡Ｂも消泡される。また、気泡Ｂを形成する水分が受け皿１０内に流入しても、その一部は、消泡剤Ａと共に受け皿１０外に溢れ出て、受け皿１０外の気泡Ｂも消泡される。また、受け皿１０内の消泡剤Ａの濃度が例えば消泡により一時低下しても、消泡剤ペットボトル６内の高濃度の消泡剤Ａと置換され、受け皿１０内の消泡剤Ａは、高濃度に保たれている。また、受け皿１０内の消泡剤の液面Ａ１が低下しても、高濃度の消泡剤Ａが消泡剤ペットボトル６から流出し、上述したように、釣り合った状態となり、再び受け皿１０内の液面Ａ１を形成する。
【００３２】
この消泡装置１を継続使用して、消泡剤ペットボトル６内の消泡剤Ａが無くなった状態、又は消泡剤ペットボトル６内が水分等で置換されて消泡剤Ａが低濃度となった状態で、消泡剤ペットボトル６を交換する。
【００３３】
このように第１実施形態の消泡装置、消泡剤容器、消泡方法及び消泡剤ペットボトルでは、消泡剤Ａの添加のための動力が不要とされメンテナンス、ランニングコスト等の低減は図られると共に、受け皿１０内は高濃度の消泡剤Ａで満たされ、効率的且つ確実に気泡を消泡する消泡装置、消泡剤容器、消泡方法及び消泡剤ペットボトルを提供することができる。また、上記消泡剤ペットボトル６は、消泡装置１に供するのに最適である。
【００３４】
なお、第１実施形態の突起部１１は、四角錐としているが、三角錐やその他の多角推でも良く、要は、封止部を開封可能であり、消泡剤ペットボトル６を下側から支える構成とし、消泡剤ペットボトル６の内外を連通すると共に消泡剤Ａが流通可能な経路を形成していれば良い。
【００３５】
図３は、本発明の第２実施形態に係る消泡装置の概略構成図である。この第２実施形態の消泡装置３１が第１実施形態の消泡装置１と違う点は、消泡剤ペットボトル６が受け皿４０の底部１０ａに立設された突起部４１に螺合され、図２に示す支持胴１４及び第２鍔部１６を無くした点である。
【００３６】
具体的には、図３に示すように、突起部４１は、円柱部４１ａとこの円柱部４１ａの上部に設けられた円錐部４１ｂとを具備している。円柱部４１ａは、その外径が消泡剤ペットボトル６の開口部７に挿入可能な大きさとされ、その側面に雄螺子が設けられている。同様に、開口部７を有する凸部８の内面には突起部４１の雄螺子に螺合する雌螺子が設けられている。これにより、突起部４１を備える受け皿４０と凸部８を備える消泡剤ペットボトル６とが螺合されている。また、突起部４１の内部には、消泡剤ペットボトル６内と受け皿４０の消泡剤貯留領域とを連通させるべく、経路４２が形成されている。このように構成しても第１実施形態の消泡装置１と同様の効果を得ることができ、加えて支持部材の部品点数を削減することが可能となる。
【００３７】
なお、第２実施形態の突起部４１は、消泡剤ペットボトル６の凸部８の内面に螺合する構成とされているが、凸部の外面に螺合する構成としても良く、更には、凸部内面又は外面に嵌合する構成としても良く、要は、開口部７の封止部を開封可能であり、消泡剤ペットボトル６を下側から支える構成とし、消泡剤ペットボトル６の内外を連通すると共に消泡剤Ａが流通可能な経路を形成していれば良い。
【００３８】
以上、本発明をその実施形態に基づき具体的に説明したが、本発明は、上記実施形態に限定されるものではない。例えば、上記実施形態にあっては、消泡剤ペットボトル６を立設して装着する構成としているが、消泡剤ペットボトル６が傾斜する構成としても良く、要は、消泡剤ペットボトル６の開口部７が下向きに装着できれば良く、密度が高く高濃度の消泡剤Ａが流出可能な構成であれば良い。
【００３９】
また、上記実施形態にあっては、消泡剤Ａを収容する容器を消泡剤ペットボトル６としているが、その他の形状の容器やその他の材質の容器であっても良い。
【００４０】
また、上記実施形態にあっては、突起部１１、４１は、消泡剤ペットボトル６を下側から支える支持部材を兼ねているが、消泡剤ペットボトル６の下方への移動を拘束する支持部材を別部材として備える構成としても良い。
【００４１】
また、受け皿１０，４０の形状は、例えばお椀状等であっても良く、要は消泡剤Ａを貯留すると共に、この消泡剤Ａと気泡Ｂとが接触可能な構成であれば良い。
【００４２】
また、上記実施形態では、消泡装置を、し尿処理場や下水処理場等の有機性廃水Ｗから発生した気泡に適用しているが、例えばその他の工場廃水、生活廃水等から発生した気泡に適用しても良い。
【００４３】
また、消泡剤ペットボトル６は、開口部７に蓋を備える構成とし、開蓋してから消泡剤ペットボトル６を供するようにしても良い。
【図面の簡単な説明】
【００４４】
【図１】本発明の第１実施形態に係る消泡装置を備えた曝気槽の概略構成図である。
【図２】図１中の消泡装置の概略構成図である。
【図３】本発明の第２実施形態に係る消泡装置の概略構成図である。
【符号の説明】
【００４５】
１，３１…消泡装置、６…消泡剤ペットボトル（消泡剤容器）、７…開口部、８…凸部、１０，４０…受け皿、１１，４１…突起部（支持部材）、１３…懸吊手段、１４…支持胴（支持部材）、１５…第１鍔部（雨水浸入防止手段）、１６…第２鍔部（雨水浸入防止手段）、１７…蓋（支持部材；雨水浸入防止手段）、１９…防水傘（雨水浸入防止手段）、２０ａ，２０ｂ…吊ワイヤ（懸吊手段）、２１…吊フック（懸吊手段）、Ａ…消泡剤、Ａ１…受け皿内の液面、Ｂ…気泡、Ｗ…有機性廃水（被処理水）、Ｗ１…有機性廃水の液面（被処理水の液面）。
【図１】
2005305308.tif 000003
【図２】
2005305308.tif 000004
【図３】
2005305308.tif 000005